(57)【要約】      （修正有）【課題】本体バッグの表・裏三角隅部を利用して簡単に丈夫な二重袋の小型バッグを形成し、お買い物の出し入れの際、小型バッグが障害及び損傷の原因とならず、利便性の極めて高い、しかもアクセサリーとしても可愛らしいお買い物用バッグを提供する。【解決手段】手提げ式お買い物バックは、本体バッグ１００で構成され、本体バック１００の下部一側の表・裏三角隅部１０３の各々に三角巾Ｐ１を配置し、三角巾Ｐ１は三辺の縁部に斜折り込み片Ｂ１と側部折り込片Ｃ１と下部折り込み片Ｄ１を設け、側部折り込片Ｃ１は本体バック１００の側端部折り込み片１０４−１と共に縫込み、下部折り込み片Ｄ１は本体バック１００の底部折り込み片１０５−１と共に縫込み、斜折り込み片Ｂ１は本体バック１００全体を上方装入収容する開閉口２０４を形成して小型バック２００とし、開閉口２０４に開閉具２０１、２０２、２０３を設けた。【選択図】図１
0003228547.tif 000002
【実用新案登録請求の範囲】
【請求項１】
手提げ式お買い物バックにおいて、本体バック１００の下部一側の表・裏三角隅部１０３の各々に三角巾Ｐ１，Ｐ２を配置し、前記三角巾Ｐ１，Ｐ２は三辺の縁部に斜折り込み片Ｂ１，Ｂ２と側部折り込片Ｃ１，Ｃ２と下部折り込み片Ｄ１，Ｄ２を設け、前記側部折り込片Ｃ１，Ｃ２は本体バック１００の側端部折り込み片１０４−１，１０４−２と共に縫込み、下部折り込み片Ｄ１，Ｄ２は本体バック１００の底部折り込み片１０５−１，１０５−２と共に縫込み、前記斜折り込み片Ｂ１，Ｂ２は本体バック全体を上方装入収容する開閉口２０４，２０５を形成して小型バック２００とし、前記開閉口２０４，２０５に開閉具を設けたことを特徴とするお買い物バッグ。
【考案の詳細な説明】
【技術分野】
【０００１】  本考案は、未使用時は小型の携帯バッグにしておき、お買い物時は携帯バッグ内から通常のお買い物用バッグを安全に取り出して買い物入れにするお買い物バッグに関する。
【背景技術】
【０００２】  未使用時は小型の携帯バッグにしておき、お買い物時は携帯バッグ内から通常大きさのお買い物用バッグを取り出して広げ、買い物入れにするお買い物バッグとしては、特許文献１（：図４に示す）及び特許文献２（：図５に示す）が公知である。【０００３】  特許文献１及び特許文献２のお買い物用バッグＸ１、Ｘ２は何れも共通手段として、両手提げ取っ手０１，０２間の上開口部０３又は上開口部０３の近傍の内側に小型の携帯バッグ０４を設け、この小型の携帯バッグ０４の上端部に開閉手段（紐・面ファスナー・ジッパー等）０５を設けたものである。
【先行技術文献】
【特許文献】
【０００４】
【特許文献１】実用新案登録第３０３３８２３号公報（１９９６．１１．１３登録）  年金未納により２００２．７．１９権利抹消
【特許文献２】実用新案登録第３２２４７００号公報（２０１９．１２．１８登録）  特許文献１の本体バッグの開口部内に小型の携帯バッグ０４を備えた内容が開示されており特許性・考案性無いと思料する。
【考案の開示】
【考案が解決しようとする課題】
【０００５】  上記従来のお買い物用バッグは、小型の携帯バッグの作成が本体バッグとは別に事前に作成して後付けになる煩雑さを伴う。また小型の携帯バッグが本体のお買い物バッグの両手提げ間の上開口部又は上開口部の近傍の内側に設けてあるため、お買い物の出し入れの際、障害となり損傷し易くまた邪魔である等、若干不便さがある。【０００６】  本考案は、小型の携帯バッグの作成が本体バッグの一部を利用し且つ共用して簡単に形成し、お買い物の出し入れの際、障害及び損傷の無い利便性の極めて高い、しかも可愛らしいお買い物用バッグを提供する。
【課題を解決するための手段】
【０００７】  本考案は、前記課題を解決する技術的手段として次の（１）を特徴とするものである。
（１）、手提げ式お買い物バックにおいて、本体バック１００の下部一側の表・裏三角隅部１０３の各々に三角巾Ｐ１，Ｐ２を配置し、前記三角巾Ｐ１，Ｐ２は三辺の縁部に斜折り込み片Ｂ１，Ｂ２と側部折り込片Ｃ１，Ｃ２と下部折り込み片Ｄ１，Ｄ２を設け、前記側部折り込片Ｃ１，Ｃ２は本体バック１００の側端部折り込み片１０４−１，１０４−２と共に縫込み、下部折り込み片Ｄ１，Ｄ２は本体バック１００の底部折り込み片１０５−１，１０５−２と共に縫込み、前記斜折り込み片Ｂ１，Ｂ２は本体バック全体を上方装入収容する開閉口２０４，２０５を形成して小型バック２００とし、前記開閉口２０４，２０５に開閉具を設けたことを特徴とするお買い物バッグ。
【考案の効果】
【０００８】  本考案のお買い物用バッグにおける、小型の携帯バッグは本体バッグの一部即ち下部の三角隅部の表裏面を内壁面に利用して収容部を形成するため、お買い物バッグの両手提げ間の上開口部からのお買い物の出し入れが円滑にでき損傷が無い。つまり小型の携帯バッグ内から本体バッグを取り出せばその内壁面全体がお買い物品と接触する面になるのでお買い物の出し入れに邪魔にも障害にもならない極めて利便性の高いお買い物用バッグとなるのである。【０００９】  また、小型の携帯バッグ内に本体のお買い物用バッグを収容する手間は極めて簡便で迅速であり、且つ収容状態で開閉具で締めればまるで小粒のいちご等の重さの愛らしい果実に変身し携帯しても可愛らしさのある買い物主婦のアクセサリーにもなります。【００１０】  因みに、従来の前記特許文献１及び特許文献２のエコバッグは携帯バッグに本体バッグをたたんで入れたり丸めて止めるので、本体バッグを使い終わってからの収納に手間がかかっていた。本考案のお買い物用バッグは本体バッグの一部である下部の三角隅部にしまい込んでいくので、不器用な人や面倒くさがりの人でも簡単に本体バッグを収納できる。このエコバッグをアクセサリーのようにハンドバッグ等にぶら下げておけば予定外の買い物時でも直ぐに使用できる便利さがある。
【図面の簡単な説明】
【００１１】
【図１】本考案の実施例を示す説明図であり、（１）は本体バッグに携帯バッグを縫製した後の表面側正面図であり、（２）はバッグ表面側に配置縫製する三角巾Ｐ１の縫製前の拡大正面図である。
【図２】本考案の実施例を示す説明図であり、（１）は本体バッグに携帯バッグを縫製した後のバッグ裏面側の正面図であり、（２）はバッグ裏面側に配置縫製する三角巾Ｐ２の縫製前の拡大正面図である。
【図３】図１に示す矢視Ｘ−Ｘからの断面図（１）と、矢視Ｙ−Ｙからの断面図（２）と、矢視Ｚ−Ｚからの断面図（３）である。
【図４】従來の特許文献１に示すお買い物バッグＢ１の斜視説明図である。
【図５】従來の特許文献２に示すお買い物バッグＢ２の斜視説明図である。
【考案を実施するための態様】
【００１２】  本考案の実施態様は、図１及び図２に示す実施例により詳細に説明する。
【実施例】
【００１３】  図１〜図３において、本例の式のお買物バックは、本体バッグ１００を可撓性素材で構成し、上方に開口部１０１を有し、その開口部１０１に一対の取っ手部１０２（図１〜図２には重ねて表示してある）を備えている。
この本体バッグ１００において、下部の三角隅部１０３（略三角形状であればよい）の表裏面の各々に図１の（２）に示す表面用の三角巾Ｐ１と、図２の（２）に示す裏面用の三角巾Ｐ２を配置して本体バッグ１００の三角隅部１０３の表裏面に縫製して小型バッグを形成する。
前記三角巾Ｐ１，Ｐ２は三辺の縁部に紐挿通口用の折り込片Ａ１，Ａ２と斜折り込み片Ｂ１，Ｂ２と側部折り込片Ｃ１，Ｃ２と下部折り込み片Ｄ１，Ｄ２を有する。
前記側部折り込片Ｃ１とＣ２は図３の（２）に示すように本体バック１００の側端部折り込み片１０４−１，１０４−２と共に本体バック１００内に折り込み縫込む。下部折り込み片Ｄ１，Ｄ２は図３の（１）に示すように本体バック１００の底部折り込み片１０５−１，１０５−２と共に本体バック１００内に折り込み縫込む。
前記斜折り込み片Ｂ１，Ｂ２は、図３の（３）に示すように内側に折り込んで各々に二重の袋縫いをして本体バックの表・裏面に縫い付ける。これで三角隅部１０３と前記三角巾Ｐ１，Ｐ２とにより、二重の三角袋の小型バック２００が形成される。斜折り込み片Ｂ１，Ｂ２の袋縫い部は本体バック全体を上方装入収容する開閉口２０４，２０５を形成すると共に前記開閉口２０４，２０５に開閉具を設ける。【００１４】＜本例のお買物バック１００における小型バック２００の縫製形成例＞
小型バック２００における三角巾Ｐ１とＰ２は、紐挿通口用の折り込片Ａ１，Ａ２を内側に折り込んで図３の（３）に示すように二重の袋縫いをしておく。この状態で斜折り込み片Ｂ１，Ｂ２は内側（本体バッグの表面・裏面側）に折りこんで筒状に縫製して開閉具例の締め紐２０１，２０２を挿通可能にしておく。また側部折り込片Ｃ１，Ｃ２は図３の（２）に示すように本体バッグ１００の側端部折り込み片１０４と共に本体バッグ内に縫い込んで固定する。前記下部折り込片Ｄ１，Ｄ２は図３の（１）に示すように本体バッグ１００の底部折り込み片１０５−１、１０５−２と共に本体バッグ１００内に縫い込めて固定する。斜折り込片Ｂ１，Ｂ２の上端部は本体バッグ１００の側端部折り込み片１０４−１と１０４−２の間に挟んで本体バッグ内に縫い込んで固定し、下端部は本体バッグの底部折り込み片１０５−１と１０５−２との間に挟んで本体バッグ内に縫い込んで固定する。【００１５】  前記締め紐２０１，２０２は、各一端を折り込片Ｄ１，Ｄ２と本体バッグの底部折り込み片１０５と共に縫い込めて固定する。
締め紐２０１，２０２の各他端は折り込片Ａ１，Ａ２の袋縫い部から突出させて紐ストッパー２０３に挿入しおく。締め紐２０１，２０２と紐ストッパー２０３は小型バック２００の開閉口２０４，２０５の開閉具例として使用する。【００１６】  以上の構成により、本例のお買い物バッグは、未使用時は小型バック２００の斜折り込み片Ｂ１，Ｂ２側の開閉口２０４，２０５から本体バック１００全体を丈夫な二重の三角袋内に簡単に手繰（たぐり）寄せて上方装入収容し、紐ストッパー２０３で締め紐２０１，２０２を締め固定すれば可愛い巾着の小型バックに変身するのである。
【産業上の利用可能性】
【００１７】  本考案は、前記の優れた作用効果を呈するものであり、一般家庭の主婦に広く活用されるエコバッグであり一般家庭には勿論スーパー業界等に貢献すること多大なものある。
【符号の説明】
【００１８】１０１：本体バッグ１００の開口部      Ｐ２：三角巾
１０２：一対の取っ手部                Ａ１，Ａ２：折り込片
１０３：三角隅部                      Ｂ１，Ｂ２：斜折り込み片
２０１，２０２：開閉具例の締め紐      Ｃ１，Ｃ２：側部折り込片
Ｐ１：三角巾                          Ｄ１，Ｄ２：下部折り込片
【図１】
0003228547.tif 000003
【図２】
0003228547.tif 000004
【図３】
0003228547.tif 000005
【図４】
0003228547.tif 000006
【図５】
0003228547.tif 000007